(57)【要約】      （修正有）【課題】打撃機構付き腕時計において、ゴングに対するハンマーの打撃を最適化し、ゴングに対するハンマーの第２の衝撃を防ぐ。【解決手段】打撃機構１００は、少なくとも１つの剛体のハンマー１を動作させるように当該打撃機構を駆動し制御する駆動機構を有し、ハンマー１は巻き位置である第１の位置と打撃位置である第２の位置の間を動くことができ、第２の位置においてゴング４を打つように構成しており、ハンマー１は駆動機構によって駆動されて運動する少なくとも１つのアクチュエーターと連係するように構成する少なくとも１つの磁化部分３を有し、アクチュエーターは少なくとも第１の領域と第２の領域の互い違いの連続を含んでいる少なくとも１つのトラックを有し、第１の領域と第２の領域とは、互いに異なる磁場特性を有し、磁化部分３が、この磁場特性の影響を連続的に受けて、ハンマー１の巻き又はゴング４に対してのハンマー１の打撃を発動する。【選択図】図７
2016200592.tif 000002
【特許請求の範囲】
【請求項１】
少なくとも１つの打撃機構（１００）を有する腕時計（２００）であって、
前記打撃機構（１００）は、少なくとも１つの剛体のハンマー（１）を動作させるように当該打撃機構を駆動し制御する駆動機構（１０）を有し、
前記ハンマー（１）は、巻き位置である第１の位置と打撃位置である第２の位置の間を動くことができ、
前記第２の位置においてゴング（４）を打つように構成しており、
前記ハンマー（１）は、前記駆動機構（１０）によって駆動されて運動することができる少なくとも１つのアクチュエーター（８）と連係するように構成する少なくとも１つの磁化部分（３）を有し、
前記アクチュエーター（８）は、少なくとも第１の領域（２１）と第２の領域（２２）の互い違いの連続を含んでいる少なくとも１つのトラックを有し、
前記第１の領域（２１）と前記第２の領域（２２）とは、互いに異なる磁場特性を有し、
前記磁化部分（３）が、この磁場特性の影響を連続的に受けて、
前記ハンマー（１）の巻き又は前記ゴング（４）に対しての前記ハンマー（１）の打撃を発動する
ことを特徴とする腕時計（２００）。
【請求項２】
前記ハンマー（１）と前記ゴング（４）が前記駆動機構（１０）によって駆動され運動しているときには、前記アクチュエーター（８）は不動である
ことを特徴とする請求項１に記載の腕時計（２００）。
【請求項３】
前記アクチュエーター（８）に含まれるトラックのそれぞれにおいて、
前記第１の領域（２１）はそれぞれ、所与のトラックにおいて最も大きな強さを有する磁気ポテンシャルのピークを形成し、
前記第１の領域（２１）はそれぞれ、前記ハンマー（１）の前記磁化部分（３）と同じ磁気的極性の磁場障壁を形成し、これによって、前記ハンマー（１）の前記磁化部分（３）が前記磁場障壁をまたぐことを防ぐ傾向を有する
ことを特徴とする請求項１に記載の腕時計（２００）。
【請求項４】
前記アクチュエーター（８）は、前記第１の領域（２１）と磁化されていない前記第２の領域（２２）との交番構成を有する少なくとも１つのトラックを有し、
磁気ポテンシャルのピークの第１の領域（２１）と前記ハンマー（１）の前記磁化部分（３）との間の周期的な相互作用には、鉛直方向から見て前記磁化部分（３）を当該トラック及び／又は当該アクチュエーター（８）から押し出す傾向があり、
前記ハンマー（１）は、当該トラック及び／又は当該アクチュエーター（８）の上の前記ハンマーを戻す傾向がある弾性の戻し手段（５）を有する
ことを特徴とする請求項３に記載の腕時計（２００）。
【請求項５】
前記アクチュエーター（８）は、前記第１の領域（２１）と前記第２の領域（２２）との交番構成を有する第１のトラック（８１）と、及び
前記第１のトラック（８１）の隣にあり、前記第１の領域（２１）と前記第２の領域（２２）との交番構成を有する第２のトラック（８２）とを少なくとも有し、
前記第１の領域（２１）と前記第２の領域（２２）の間の磁場特性は、前記第１のトラック（８１）と前記第２のトラック（８２）とでは異なる
ことを特徴とする請求項１に記載の腕時計（２００）。
【請求項６】
前記アクチュエーター（８）は、環状であり、
前記第１のトラック（８１）は環状であり、前記第２のトラック（８２）と同心であり隣にあり、
前記第２のトラック（８２）も環状である
ことを特徴とする請求項５に記載の腕時計（２００）。
【請求項７】
前記第１のトラック（８１）の前記第１の領域（２１）は、前記第２のトラック（８２）の前記第２の領域（２２）の隣にあり、
前記第１のトラック（８１）の前記第２の領域（２２）は、前記第２のトラック（８２）の前記第１の領域（２１）の隣にある
ことを特徴とする請求項５に記載の腕時計（２００）。
【請求項８】
前記アクチュエーター（８）に含まれる前記トラックの少なくとも１つにおいては、
前記第２の領域（２２）のそれぞれは、磁場の強さが増加又は減少しているポテンシャル勾配を形成しており、
前記第２の領域（２２）は、前記ハンマー（１）に対する前記アクチュエーター（８）の相対的変位の間に、前記ハンマー（１）の前記磁化部分（３）とエネルギーを交換する
ことを特徴とする請求項１に記載の腕時計（２００）。
【請求項９】
前記ポテンシャル勾配は、上昇勾配である
ことを特徴とする請求項８に記載の腕時計（２００）。
【請求項１０】
前記ポテンシャル勾配は、下降勾配である
ことを特徴とする請求項８に記載の腕時計（２００）。
【請求項１１】
前記ポテンシャル勾配は、前記ハンマー（１）の前記磁化部分（３）と同じ磁気的極性を有する
ことを特徴とする請求項８に記載の腕時計（２００）。
【請求項１２】
前記ポテンシャル勾配は、前記ハンマー（１）の前記磁化部分（３）の極性とは反対の磁気的極性を有する
ことを特徴とする請求項８に記載の腕時計（２００）。
【請求項１３】
前記アクチュエーター（８）は、内側トラック（８１）と外側トラック（８２）を有する第１のリング（Ａ１）であり、
前記内側トラック（８１）と前記外側トラック（８２）はそれぞれ、第２の領域（２２）と第１の領域（２１）との交番構成を有し、
前記第２の領域（２２）は、磁化が増加するにしたがって磁気ポテンシャルが増加している１つの勾配を形成しており、
前記第１の領域（２１）は、磁気ポテンシャルのピークを形成しており、
これらの勾配とピークは、前記内側トラック（８１）と前記外側トラック（８２）にて互い違いになっており、常に、前記トラック（８１、８２）の上を動く前記ハンマー（１）の前記磁化部分（３）に対して反発するようにふるまう
ことを特徴とする請求項３、６、７、９及び１１に記載の腕時計（２００）。
【請求項１４】
前記アクチュエーター（８）は、請求項３に記載の内側トラック（８１）と外側トラック（８２）を有する第２のリング（Ａ２）であり、
前記外側トラック（８２）は、前記第２の領域（２２）と第１の領域（２１）との交番構成を有し、
前記第２の領域（２２）はそれぞれ、磁化が増加するにしたがって磁気ポテンシャルが増加している１つの勾配を形成しており、
前記第１の領域（２１）は、磁気ポテンシャルのピークを形成しており、これらのピークは、前記内側トラック（８１）及び前記外側トラック（８２）にて互い違いになっており、
前記内側トラック（８１）及び前記外側トラック（８２）の両方の勾配及びピークは、常に、前記トラック（８１、８２）の上を動く前記ハンマー（１）の前記磁化部分（３）に対して反発するようにふるまう
ことを特徴とする請求項３、６、７、９及び１１に記載の腕時計（２００）。
【請求項１５】
前記アクチュエーター（８）は、外側トラック（８２）と内側トラック（８１）を有する第３のリング（Ａ３）であり、
前記外側トラック（８２）は、前記第２の領域（２２）と前記第１の領域（２１）の交番構成を有し、
前記第２の領域（２２）はそれぞれ、磁化が増加するにしたがって磁気ポテンシャルが増加している１つの勾配を形成しており、
前記第１の領域（２１）は、磁気ポテンシャルのピークを形成しており、
前記外側トラック（８２）の勾配及びピークは、常に、前記トラック（８１、８２）の上を動く前記ハンマー（１）の前記磁化部分（３）に対して反発するようにふるまい、
前記内側トラック（８１）は、請求項１１に記載の前記第２の領域（２２）と前記第１の領域（２１）との交番構成を有し、
前記第２の領域（２２）はそれぞれ、磁化が増加するにしたがって磁気ポテンシャルが減少しているが前記トラック（８１、８２）の上を動く前記ハンマー（１）の前記磁化部分（３）の極性とは反対の極性の勾配を有する１つの磁気ポテンシャル勾配を形成しており、
前記第１の領域（２１）は、磁気ポテンシャルのピークを形成しており、これらのピークは、前記内側トラック（８１）と前記外側トラック（８２）の両方にて互い違いになっており、
前記トラック（８１、８２）の両方の前記ピークは、常に、前記トラック（８１、８２）の上を動く前記ハンマー（１）の前記磁化部分（３）に対して反発するようにふるまう
ことを特徴とする請求項３、６、７、９、１１及び１２に記載の腕時計（２００）。
【請求項１６】
前記アクチュエーター（８）は、外側トラック（８２）と内側トラック（８１）を有する第４のリング（Ａ４）であり、
前記外側トラック（８２）は、前記第２の領域（２２）と前記第１の領域（２１）との交番構成を有し、
前記第２の領域（２２）は、磁化が増加するにしたがって磁気ポテンシャルが増加している１つの勾配を形成しており、
前記第１の領域（２１）は、ポテンシャルのピークを形成しており、
前記外側トラック（８２）の勾配及びピークは、常に、前記トラック（８１、８２）の上を動く前記ハンマー（１）の前記磁化部分（３）に対して反発するようにふるまい、
前記内側トラック（８１）は、請求項９又は請求項１３に記載の第２の領域（２２）と前記第１の領域（２１）との交番構成を有し、
前記第２の領域（２２）は、磁化が減少するにしたがって磁気ポテンシャルが増加しており前記トラック（８１、８２）の上を動く前記ハンマー（１）の前記磁化部分（３）の極性とは反対の極性の勾配の１つの磁気ポテンシャル勾配を形成しており、
前記第１の領域（２１）は、磁気ポテンシャルのピークを形成しており、
前記ピークは、前記内側トラック（８１）と前記外側トラック（８２）の両方にて互い違いになっており、
前記トラック（８１、８２）の両方のピークは、常に、前記トラック（８１、８２）の上を動く前記ハンマー（１）の前記磁化部分（３）に対して反発するようにふるまう
ことを特徴とする請求項３、６、７、９、１０及び１２に記載の腕時計（２００）。
【請求項１７】
前記ハンマー（１）は、前記トラック及び／又は前記アクチュエーター（８）の上の前記ハンマーを前記第２の位置の方に戻す傾向がある弾性の戻し手段（５）を有する
ことを特徴とする請求項１に記載の腕時計。
【請求項１８】
前記駆動機構（１０）は、計時器用ムーブメント、引き部品（１４）又は押し部品によって巻かれる少なくとも１つの打撃用バレル（１１）と、及び音を発生させることを判断する判断手段（１２）とを有し、
この判断手段（１２）は、少なくとも１つの前記打撃用バレル（１１）から、必要な持続時間実質的に一定の速さで少なくとも１つのアクチュエーター（８）を駆動するように構成する少なくとも１つの駆動車（１３）へのエネルギーの伝達を制御するように構成している
ことを特徴とする請求項１に記載の腕時計（２００）。
【請求項１９】
前記判断手段（１２）は、複数の前記駆動車（１３Ａ、１３Ｂ）を制御するように構成し、
前記駆動車（１３Ａ、１３Ｂ）のそれぞれは、特定の１つの前記ゴング（４Ａ、４Ｂ）を打つために少なくとも１つの前記アクチュエーター（８Ａ、８Ｂ）を駆動するように構成している
ことを特徴とする請求項１８に記載の腕時計（２００）。
【発明の詳細な説明】
【技術分野】
【０００１】
本発明は、少なくとも１つの打撃機構を有する腕時計であって、前記打撃機構は、少なくとも１つの剛体のハンマーを動作させるように当該打撃機構を駆動し制御する駆動機構を有し、前記ハンマーは、巻き位置である第１の位置と打撃位置である第２の位置の間を動くことができ、前記第２の位置においてゴングを打つように構成しているものに関する。
【０００２】
本発明は、打撃機能付き腕時計の分野に関する。
【背景技術】
【０００３】
少なくとも１つの剛体のハンマーを用い、ばねによって巻かれ、制御手段によって解放されて所与のゴングを打つような、計時器用、特に、腕時計用の伝統的な打撃機構には一般的に、いくつかの慢性的な課題がある。すなわち、ハンマーばねによって解放される力の一部が、緩衝装置に伝達され、ゴングには伝達されない。また、ゴングから戻る動きの間に第２の衝撃がしばしば観察される。これは、ハンマーが戻るために長い時間がかかるためである。音の歪みは許容しがたい。非常に高価な計時器であればなおさらである。
【０００４】
実開昭60-122999は、磁化されたクラッパーを備えたベルを開示している。これは、磁場によっていくつかの特定の位置に動くベルを打つように構成している。LINK名義の米国特許US4255744Aは、ハンマーが、制御モーターによって回転駆動される永久磁石を装備していたり装備していなかったりする閉じたリレー回路の作用の下で、円弧を描いてゴングと連係するようなベルを開示している。
【発明の概要】
【発明が解決しようとする課題】
【０００５】
本発明は、ゴングに対するハンマーの打撃を最適化し、ゴングに対するハンマーの第２の衝撃を防ぐことによって、打撃機構付き腕時計におけるハンマーの動作を改善することを提案するものである。
【課題を解決するための手段】
【０００６】
このために、本発明は、請求項１に記載の打撃機構を有する腕時計に関する。
【０００７】
添付図面を参照しながら下記の詳細な説明を読むことで、本発明の他の特徴及び利点を理解することができるであろう。
【図面の簡単な説明】
【０００８】
【図１】内側トラックと外側トラックを有するアクチュエーターの概略平面図を線形表現で示している。この内側トラックと外側トラックは、互いに平行であり、それぞれは、磁化が増加するにしたがって磁気ポテンシャルが増加している交番勾配をいくつも有する。これにおいて、磁化が増加する方向に進むと幅が広くなるような三角形によって表されており、磁気ポテンシャルのピークが円で表されている。これらの勾配とピークは、内側と外側の２つのトラック上で互い違いになっており、勾配とピークは、常に、同じようにふるまう。具体的には、トラックの上を動く所与の極性の磁化物体に対する反発においてである。
【図２】図１と同様な形態の図であり、外側トラックでは、同様に、増加している勾配と磁気ポテンシャルのピークとの交番構成があるが、内側トラックでは、磁気ポテンシャルのピークのみがある。
【図３】図１と同様な形態の図であり、外側トラックでは、同様に、増加している勾配と磁気ポテンシャルのピークの交番構成があるが、内側トラックでは、磁気ポテンシャルのピークと、内側トラックのピークと外側トラックの勾配とピークの極性とは反対の極性の磁気ポテンシャルが増加している勾配とがある交番構成であり、したがって、トラックの上を動く所与の極性の磁化物体と引き合うように連係する。すべての図において、斜線付き領域は、磁化物体、特に、打撃ハンマーの磁化部分、とは反対の磁気的極性を示している。
【図４】図１と同様な形態の図であり、外側トラックでは、同様に、増加している勾配と磁気ポテンシャルのピークの交番構成があるが、内側トラックでは、磁気ポテンシャルのピークとの交番構成で、内側トラックのピークと外側トラックの勾配とピークの極性とは反対の極性の磁気ポテンシャルが減少している勾配があり、これは、トラックの上を動く所与の極性の磁化物体と引き合うように連係する。
【図５】内側トラックと外側トラックの平面と平行な平面にある磁化された可動要素の動作に図３の構成を適用した構成の概略平面図であり、この可動要素は、アームの端部において黒色で示した磁化部分を有するハンマーで作られている。このハンマーは、打撃構造体を有し、これにおいて、ストライカーが、外側トラックを越えた位置に示したゴングを打つように構成している。
【図６】トラック上に、一連の円形の磁石と一端が磁化されているハンマーがある打撃機構の概略平面図を示しており、このハンマーは、らせん状のばねの形態の弾性の戻
【図７】図１〜４の構成を、環状のゴングを打つための図５に示したようなハンマーに適用した構成の概略平面図を示しており、これにおいて、様々な構成の環状のトラック区画を示している。
【図８】円形のトラックを備える図６の構成を、環状のゴングを打つためのハンマーの制御に適用した概略平面図である。
【図９】本発明に係る腕時計を透明なケースを通して見た概略平面図であって、計時器用ムーブメント又は押し部品によって巻かれた打撃用バレルを有する駆動機構と、及び２つの駆動車セットへのエネルギーの伝達を制御するように構成している音の発生を判断する手段とを有し、この駆動車セットはそれぞれ、本発明の環状の磁気アクチュエーターを駆動して、特定のゴングのために意図されたハンマーの巻きと打撃を制御し、これらの２つのゴングは、制御機構の両側の腕時計の反対側にある。
【図１０】第１のハンマーが第１のゴングに対応している図９の腕時計の概略正面図である。
【発明を実施するための形態】
【０００９】
本発明は、打撃機構を有する腕時計に、磁気的エスケープ機構についてのTHE SWATCH GROUP RESEARCH & DEVELOPMENT Ltd名義の欧州特許EP13199427に開示されている概念を適用することを提案するものである。この磁気的エスケープ機構においては、可動な磁化された止めメンバー、特に、パレットレバーが、磁化されたトラックと、非接触の形態で交番的に連係し、磁場の傾斜勾配が、止めメンバーの転換点まで増加している。
【００１０】
本明細書において、磁気を用いる変種のみを用いて本発明を説明する。しかし、磁場の代わりに又は磁場に加えて、静電場を利用することもできる。特に、エレクトレットを使用することによってである。
【００１１】
本発明を、以下の２つの形態を用いて説明する（これに制限されない）。
−  ２つの自由度を用い、回転する可動要素が同心又は平行なトラックと連係するような第１の形態
−  単一の自由度を用い、可動要素が単一のトラックと連係するような第２の形態
【００１２】
図１〜４は、２つの隣り合ったトラックを用いる様々な構成を示している。これらのトラックは、互いに平行であり、これらの２つのトラックどうしの境界部に実質的に位置する可動要素に対する磁場分布が局所的に異なっている。
【００１３】
図５及び７に示すように、これらの構成は、ゴングを打つための打撃ハンマー駆動機構のために設けられるものである。
し手段を有し、これは、ゴングが打たれる前にハンマーを打撃位置に戻す。
【００１４】
これらの機構のために、以下のいくつかの基準を考慮すべきである。
−  打撃時にゴングに与えられるエネルギー量
−  ゴングとの第２の衝突を回避するために打撃の後にハンマーが定位置に戻る速さ
−  トルク変化を補うために打撃の速さを調整することができる可能性
【００１５】
図１〜４は、いくつかの手法で磁化されている要素を有するトラックの図であり、各場合において、特定の磁場トポグラフィーを形成しており、これによって、特定の極性で磁化された可動要素が操作される。この可動要素は、ここでは、打撃ハンマー又は打撃ハンマーに対応する制御レバーである。
【００１６】
トラックに対する相対的な運動を行うように駆動される磁化された可動要素が動くことができる経路は、磁気ポテンシャルトポグラフィーによって定まる。打撃制御トラックが制御車と一体的であることが好ましいところ、理論的にはハンマーの回転軸が腕時計プレートに対して固定されているが、慣例によって、ここにおいては、磁化された可動要素が、図面において矢で示されている軸Ｘの正の方向に相対的な運動をするように、トラックの上を運動するものと考える。
【００１７】
慣例によって、ここにおいては、以下のように考える。
−  互いに反発する磁石どうしに対して：
−  「磁化が増加している」とは、磁気ポテンシャルが増加していることを意味する。
−  「磁化が減少している」とは、磁気ポテンシャルが減少していることを意味する。
−  互いに引き合う磁石どうしに対して：
−  「磁化が増加している」とは、磁気ポテンシャルが減少していることを意味する。
−  「磁化が減少している」とは、磁気ポテンシャルが増加していることを意味する。
【００１８】
これらの変種において、打撃の時間的な部分、すなわち、振りの間の時間間隔、についてのモデルを確立するために、Ｘにおける自由度を使用する。これに対して、横断方向Ｙにおける自由度は、打撃位置ｙ１と巻き位置ｙ２の間のハンマーの変位に対応するものである。
【００１９】
本発明によると、打撃位置ｙ１と巻き位置ｙ２の間では機能が異なり、打撃位置ｙ１と巻き位置ｙ２の間は、非対称の構成であると考えることができる。
【００２０】
内側トラックと外側トラックの磁化の値が同じならば、図１の構成のみが対称的なトラック変更機能に従う。すなわち、外側トラックの反発性の外側の勾配ＲＲＥに面する磁化された可動要素が、同じ外側トラックの反発性の外側ポールＰＲＥに達すると、内側トラックに切り替えられて、反発性の内側の勾配ＲＲＩの底部分に動く。可動要素は、この勾配ＲＲＩを反発性の内側ポールＰＲＩに達するまで登り、外側トラックに切り替えられて動き、その後も同様に続く。
【００２１】
図２〜４の３つの変種は、図１の構成とは異なり、非対称の構成を示している。
【００２２】
図２の変種では、ハンマー打撃位置ｙ１に対応する内側トラックから磁場の勾配をなくしている。この構成は、二重の利点を有する。
−  一方では、巻き位置ｙ２から打撃位置ｙ１までの変化の際に解放されるエネルギーをわずかに増加させることができる。
−  他方では、Ｘ方向の運動時の抵抗力が、打撃位置ｙ１において減少する。
【００２３】
結果的に、規制がないために、ハンマーが打撃位置にあるときに可動要素はより速く動き、巻き位置までより速く戻る。このことによって、第２の打撃を行ってしまうリスクを減らすことができる。
【００２４】
また、反発性の内側ポールＰＲＩと反発性の外側ポールＰＲＥの間の軸Ｘ上の距離Δは、速い戻りを得るように決めることができる。
【００２５】
この間隙において可動要素が推進力から十分な力を得ることが確実になるように、寸法構成を適応させるべきである。
【００２６】
好ましい変種においては、ガバナーを導入する。このガバナーは、本質的に巻き位置ｙ２において経験する典型的なトルク範囲に対して有効であるような寸法構成を有するが、打撃位置ｙ１において経験する典型的なトルク範囲に対して許容できる程度に有効性が低くてもいい。理想的には、２つの速さが２つのトルク範囲に対応するような２つの平坦な領域を有する。
【００２７】
図３の変種は、Ｘの正方向の運動時における、打撃位置ｙ１に対応する内側トラックの増加している勾配を、誘引性が増加している領域において、減少している勾配によって置き換えることを提案するものである。この変種は、図２の変種の利点を強調するものである。すなわち、打撃パワーと巻き位置までの戻りのための打撃位置ｙ１における加速を強調するものであるが、短所も強調される。具体的には、打撃位置ｙ１から巻き位置ｙ２までの変更がより困難となることがありうる。なぜなら、車が磁気ポテンシャルに対して上昇して動かなければならないからである。しかし、磁気的な引力を通して獲得した速さと推進力が、打撃位置ｙ１と巻き位置ｙ２の間の磁気ポテンシャル差を克服するのに十分であるように、磁性領域の寸法構成を定めることができる。なお、この内側トラック上で、反発性の下降勾配又は図示したような誘引性の上昇勾配ＲＡＩを有することは等価である。しかし、反発性の下降勾配が用いられる場合には、ゴングに与えられるエネルギーがより低いことがある。
【００２８】
図４の変種は、内側トラックの打撃位置ｙ１の増加する傾斜について、反発性の磁石を誘引性の磁石に置き換えることを提案するものである。これにおいては、誘引性の内側の下降勾配ＤＡＩがある。このシステムには、打撃時にゴングにより大きなエネルギーを与えることを可能にするという利点がある。このバージョンにおいて、ハンマーが打撃位置にあるときに可動要素の加速現象が失われる。しかし、磁気ポテンシャルの傾斜、したがって、磁気制動トルクが、打撃位置ｙ１と巻き位置ｙ２の両方において同じであることを確実にすることができる。このことによって、ピーク領域における変化を補うことを望むのでないかぎり、規制を行いながら発動させることを可能にする。ピーク領域は、非常に短いことが好ましい。
【００２９】
これらのすべての変種において、打撃位置ｙ１から巻き位置ｙ２までの自動変更のために、横断方向Ｙの距離ｅを変えることができる。方向Ｙにおける可動要素のいずれの運動をも防ぐために、本機構は、好ましいことに、機械的な止め及び／又は磁場の障壁を形成する磁気的な止めを有する。この距離がゼロである場合、可動要素は離れなければならない。
【００３０】
要するに、図１〜４の変種は、与えられるエネルギーが最大限にされる状況と打撃位置にある時間が最小限にされる状況との間の折衷の結果として生まれた手法である。
【００３１】
図５は、ハンマーＭの制御に適用される図３の変種の詳細を示している。このハンマーＭは、ゴングＴを打つために軸Ｄ１を中心に回転し、磁化された端Ｅを有する
【００３２】
図７は、図１〜４の４つの変種に係るハンマーの制御のための環状トラックの例示的な構成を示している。
【００３３】
図６の変種は、操作用のシステムへの十分なエネルギー量の供給を確実にするために、機械的な発動と磁気的な発動を組み合わせている。本機構は、一次元的であり、単一のトラックは、磁気ポテンシャルのピークのみを含んでいる。このトラックにおいては、磁石が規則的な距離ｄ離れて設けられており、一端が磁化されているハンマーの近くを磁石が通ると、ハンマーを回転させて巻くトルクを発生させる。回転の際には、ハンマーは、ばねを巻く。このばねは、打撃する方向に自身を戻す傾向がある。特定の変位の後に、ばねトルクは、最大の磁気トルクに達し、ハンマーは、磁気ポテンシャルのピークの頂上を通る。この時点から、ハンマーは、ばねと磁気反発によって加速される。このように、ゴングに与えられる最大エネルギーは、ばねの位置エネルギーと、磁気ポテンシャルのピークにおける磁気的な位置エネルギーとの和である。この合計エネルギーは、図１〜４の変種よりも大きい。距離Ｄが適切な寸法を有することによって、次の磁気ポテンシャルの上昇を利用して、ハンマーを迅速に戻し、第２の衝撃を回避することができる。この構成において、可動要素の速さｖを規制することが完全に可能である。これは、磁気トルクがゼロである場合にハンマーの再位置合わせを加速することによって速さを規制しないことができるように、あるいは規制を所与の値より大きいトルクの範囲内においてのみとするように寸法構成を決めることによって速さを部分的に規制することができることと同様である。
【００３４】
したがって、具体的には、図面に示すように、本発明は、計時器用打撃機構１００に関し、これは、巻き位置である第１の位置と打撃位置である第２の位置の間を運動可能な少なくとも１つのハンマーを動作させるために打撃機構を駆動し制御する駆動機構１０を有する。この打撃位置である第２の位置では、ハンマー１は、ゴング４を打つように構成している。
【００３５】
より詳細には、この計時器用打撃機構１００は、腕時計用打撃機構であり、これは、腕時計の空間における任意の位置において動作するように構成する剛体のハンマーを有する。
【００３６】
本発明によると、ハンマー１は、少なくとも１つの磁化部分３を有し、これは、少なくとも１つのアクチュエーター８と連係するように構成している。このアクチュエーター８は、駆動機構１０によって駆動されて運動することができる。
【００３７】
このアクチュエーター８は、互いとは異なった磁場特性を有する少なくとも第１の領域２１と第２の領域２２の連続の交番構成を有する少なくとも１つのトラックを有する。磁化部分３は、これらの第１の領域２１と第２の領域２２の影響を連続的に受け、これによって、場合に応じて、ハンマー１の巻き又はゴング４に対するハンマー１の打撃を発動する。
【００３８】
本発明によると、このようなアクチュエーター８に含まれる各トラックにおいて、第１の領域２１はそれぞれ、当該トラックにおいて磁場の強さが最も大きいような磁気ポテンシャルのピークを形成し、第１の領域２１はそれぞれ、ハンマー１の磁化部分３と磁気的極性が同じ磁場障壁を形成し、ハンマー１の磁化部分３がその磁場障壁を越えることを防ぐ傾向がある。
【００３９】
図６及び８の変種では、アクチュエーター８は、このような第１の領域２１と磁化されていない第２の領域２２との交番構成を有する少なくとも１つのトラックを有している。磁気ポテンシャルのピークの第１の領域２１とハンマー１の磁化部分３との間の周期的な相互作用には、鉛直方向から見て、トラックから及び／又はアクチュエーター８から、磁化部分３を押し出す傾向がある。また、ハンマー１は、このハンマー１をトラック及び／又はアクチュエーター８の上の位置に戻す傾向がある弾性の戻し手段５を有する。
【００４０】
図１〜４及び７の実施形態では、アクチュエーター８は、第１の領域２１と第２の領域２２の交番構成を有する第１のトラック８１と、及び第１のトラック８１の隣にあり、同様に第１の領域２１と第２の領域２２の交番構成を有する第２のトラック８２とを少なくとも有する。第１の領域２１と第２の領域２２の間の磁場特性は、当該トラック８１、８２それぞれの中では異なる。
【００４１】
図１〜４、７及び１０の実施形態においては、アクチュエーター８は環状であり、第１のトラック８１は、環状であり、第２のトラック８２に対して同心であり隣にあり、この第２のトラック８２も環状である。
【００４２】
具体的には、第１のトラック８１の第１の領域２１は、第２のトラック８２の第２の領域２２の隣にあり、第１のトラック８１の第２の領域２２は、第２のトラック８２の第１の領域２１の隣にある。したがって、このことによって、打撃機構の動作の全体にわたって、巻き位置と打撃位置の間のハンマーの揺動運動が確実になる。
【００４３】
図１〜４及び７に示すように、アクチュエーター８に含まれる少なくとも１つのトラックでは、第２の領域２２はそれぞれ、磁場の強さが増加又は減少しているポテンシャル勾配を形成しており、これらは、ハンマー１に対するアクチュエーター８の相対的変位の際に、ハンマー１の磁化部分３とエネルギーを交換する。
【００４４】
第１の場合には、ポテンシャル勾配は、上昇勾配である。
【００４５】
図４に示すように、第２の場合には、ポテンシャル勾配は、下降勾配である。
【００４６】
いくつかの変種において、ポテンシャル勾配は、ハンマー１の磁化部分３と同じ磁気的極性を有する。
【００４７】
特に、図３〜５における他のいくつかの変種においては、ポテンシャル勾配は、ハンマー１の磁化部分３の磁気的極性とは反対の磁気的極性を有する。
【００４８】
図１及び７に対応する変種では、アクチュエーター８は、内側トラック８１と外側トラック８２を有する第１のリングＡ１であり、これらはそれぞれ、第２の領域２２と第１の領域２４との交番構成を有し、第２の領域２２はそれぞれ、磁化が増加するにしたがって磁気ポテンシャルが増加している１つの勾配を形成し、第１の領域２４は、磁気ポテンシャルのピークを形成している。勾配とピークは、内側トラック８１と外側トラック８２の両方にて互い違いにされ、常に、トラック８１、８２の上を動くハンマー１の磁化部分３に対して反発するようにふるまう。
【００４９】
図２及び７に対応する変種では、アクチュエーター８は、図２に示された内側トラック８１と、及び第２の領域２２と第１の領域２１の交番構成を有する外側トラック８２とを有する第２のリングＡ２であり、第２の領域２２はそれぞれ、磁化が増加するにしたがって磁気ポテンシャルが増加している１つの勾配を形成し、第１の領域２１は、磁気ポテンシャルのピークを形成しており、これらのピークは、内側トラック８１と外側トラック８２の両方にて互い違いになっている。これら２つのトラック８１、８２の勾配とピークは、常に、トラック８１、８２の上を動くハンマー１の磁化部分３に対して反発するようにふるまう。
【００５０】
図３及び７に対応する変種では、アクチュエーター８は、外側トラック８２が第２の領域２２と第１の領域２１との交番構成となっている第３のリングＡ３であり、第２の領域２２はそれぞれ、磁化が増加するにしたがって磁気ポテンシャルが増加している１つの勾配を形成しており、第１の領域２１は、磁気ポテンシャルのピークを形成しており、外側トラック８２の勾配とピークは、常に、トラック８１、８２の上を動くハンマー１の磁化部分３に対して反発するようにふるまう。また、第３のリングＡ３は、図３に示した第２の領域２２と第１の領域２１との交番構成を有する内側トラック８１を有し、第２の領域２２はそれぞれ、磁化が増加するにしたがって磁気ポテンシャルが減少している１つの勾配を形成しており、この勾配の極性は、トラック８１、８２の上を動くハンマー１の磁化部分３の極性とは反対である。第１の領域２１は、磁気ポテンシャルのピークを形成している。ピークは、内側トラック８１と外側トラック８２の両方にて互い違いにされており、２つのトラック８１、８２のピークは、常に、トラック８１、８２の上を動くハンマー１の磁化部分３に対して反発するようにふるまう。
【００５１】
図４及び７に対応する変種では、アクチュエーター８は、第４のリングＡ４であり、その外側トラック８２では、第２の領域２２と第１の領域２１との交番構成を有し、第２の領域２２はそれぞれ、磁化が増加するにしたがって磁気ポテンシャルが増加している１つのポテンシャル勾配を形成しており、第１の領域２１は、磁気ポテンシャルのピークを形成しており、外側トラック８２の勾配とピークは、常に、トラック８１、８２の上を動くハンマー１の磁化部分３に対して反発するようにふるまう。内側トラック８１は、図４に示した第２の領域２２と第１の領域２１との交番構成を有する。第２の領域２２はそれぞれ、磁化が減少するにしたがって磁気ポテンシャルが増加している１つのポテンシャル勾配を形成しており、これにおいて、トラック８１、８２の上を動くハンマー１の磁化部分３の極性とは反対の極性を有する。第１の領域２１は、磁気ポテンシャルのピークを形成している。これらのピークは、内側トラック８１と外側トラック８２の両方にて互い違いにされ、２つのトラック８１、８２のピークは、常に、トラック８１、８２の上を動くハンマー１の磁化部分３に対して反発するようにふるまう。
【００５２】
様々な変種の特定の実施形態においては、ハンマー１は、弾性の戻し手段５を有する。これは、トラック及び／又はアクチュエーター８上で打撃位置の方に向かっているような位置にハンマー１を戻す傾向がある。
【００５３】
図９及び１０に示した変種（これに制限されない）においては、駆動機構１０は、計時器用ムーブメントあるいはボルト１４又は押し部品によって巻かれる少なくとも１つの打撃用バレル１１と、及び音の発生を判断する判断手段１２とを有する。この判断手段１２は、少なくとも１つのバレル１１から少なくとも１つの駆動車セット１３へのエネルギーの伝達を制御するように構成している。この駆動車セット１３は、必要な持続時間のために実質的に一定の速さで少なくとも１つのアクチュエーター８を駆動するように構成している。
【００５４】
具体的には、判断手段１２は、複数の駆動車１３Ａ、１３Ｂを制御するように構成しており、駆動車１３Ａ、１３Ｂのそれぞれは、特定のゴング４Ａ、４Ｂを打つために少なくとも１つのアクチュエーター８Ａ、８Ｂを駆動するように構成している。
【００５５】
勾配の形については、以下の形を用いることができる（これに制限されない）。
−  線形的に増加する（又はもちろん減少も）、すなわち、磁気ポテンシャルの変化が線形であるような、勾配
−  差動的に増加する勾配であって、最初は、非常に早い時期に可動要素を加速するために急勾配の曲線を有し、最後においては、穏やかな曲線を有するような勾配であり、この磁気ポテンシャル輪郭は、打撃位置から巻き位置への迅速な戻りのために特に有効である。
【００５６】
ミニッツリピーターのような打撃機構の伝統的な構造には、回転軸が固定されたハンマー、固定されたゴング及び可動アクチュエーターを伴うが、本発明の原理から逸脱せずに、ハンマーとゴングが可動であり、アクチュエーターが固定されているような逆の構成を思い描くことができる。
【００５７】
この場合、アクチュエーター８は不動であり、ハンマー１及びゴング４が駆動機構１０によって駆動され運動する。
【００５８】
このようなゴングが動くような構成によって、鳴動音を変調することができる。なぜなら、音に寄与する様々な部分（音符）の発散が、腕時計の外側部品の中のゴングの位置に応じて変わるからである。また、少なくとも２つのゴング（例、時間と分のためのゴング）の相対的位置によって、音響及び審美的な効果を発生させることができる。
【００５９】
この変種の特定の実施形態において、ゴングは回転する。
【００６０】
この場合、ゴングを駆動することができ、また、ゴングは自由回転車であることができる。この直前の例においては、自由回転車であるゴングは、振動する重量体を形成することができ、また、反対に、振動する重量体をゴングとして使用することができる。
【００６１】
この変種の別の特定の実施形態において、ゴングは線形運動をする。
【００６２】
変種の１つにおいて、ハンマーとゴングとの衝突がいくつかの異なる位置で発生する。これらの位置は、定まっていることができ（例、接続ノードにて）、反対に、ランダムであることができる。
【００６３】
これらの変種は、磁気の維持に関して非常に適している。これは、プレートとハンマーの間のいずれの接触をも必要とせず、したがって、ハンマーがゴングと一体的に動くことができる。
【００６４】
伝統的な維持においては、可動なゴング及びハンマーを備えた設計を生産することはもちろん複雑であるが、以下の２つの有利な特徴が発生しうる。
−  固定ハンマーが定められた位置にありゴングのみを動かす。
−  ハンマーとゴングを一体的に動かし、振動プレートのような細長材ばね又はピンによってハンマーを発動させる。
【００６５】
これらの可動なゴングの変種の重要な利点として、音の調性を変えることができるということがある。
【００６６】
他の利点も続けて説明する。具体的には、振動応答が非常に非均質であるようなケース内にて一体的にされたハンマーとゴングを動かすことによって、調性を変調することができる。一例は、ケースに風防と膜が取り付けられており、ムーブメントと膜の間の連結が３時と９時の位置にあり、ベゼルと風防の連結が１２時と６時の位置にあり、ゴングが１２時と６時の位置にあるときにベゼル−風防に同調されたゴング周波数が活性化して大きく放射し、ゴングが３時と９時の位置にあるときに膜に同調されたゴング周波数が活性化して大きく放射する。したがって、発される音は、ゴングの位置に応じて高くなったり低くなったりする。実際に、ゴングの部分音、したがって、音符が、依然として同じであったとしても、音におけるそれらの相対的な重み付けは変わる。
【００６７】
凹部、側方膜、共振器、音響放射メンバーなどの特定の外側部品の設計によっても、２つ又はそれより多い数のゴングの間の立体音的効果の方法によって、音の指向性を変えることができる。
【００６８】
ゴングがいくつかの位置に動くだけで、調性をさらに大きく変えることができる。これは、いくつかの異なる位置でゴングを打つように位置合わせされた異なるハンマーがいくつか（例、３や４）ある場合に対応している。音は、ゴングの取り付け点から離れるにしたがって深くなる。
【００６９】
特定の場合において、まっすぐな長方形のゴングを使用することに関わる。このゴングは、その軸で回転してスチフネスを変え、したがって、部分音が衝撃の際に最も活性化される。これらの手法の特定の非常に有利な応用例として、昼と夜とで音の調性を変えるものがある。
【００７０】
別の非常に実際的な利点として、ゴングの位置を、安静位置、例えば、わずかに応力を与えられた位置から、一又は複数の動作位置に変えて、ゴングが、各位置に対する異なる有効長に対して自由であったり当接していたりするものがある。これによって、ゴングの自由度、したがって、発される音の強度や持続時間に害を与えずに、塑性変形や望まない衝撃のリスクを抑えることができる。この場合、有効長が変わるので、特定の位置から別の位置に変わる際に、単に調性ではなく発生する音符を変えることによって、音を完全に変えることができる。
【００７１】
また、可動なゴングを表示部品として有利に使用することができる。特に、まっすぐな形又は針の形のゴングの形に作られたものを使用すると有利である。
【００７２】
本発明は、さらに、このような打撃機構１００を少なくとも１つ有する腕時計２００に関する。
【００７３】
本発明は、機械的ムーブメント又は電子的ムーブメントとともに用いることができる。実際に、打撃機構は、時間、４分の１時間及び分の部品及び対応するスネール状部品のような表示パラメーター判断手段の下流にある。
【００７４】
本発明は、各ゴングに対して、このような特定のハンマーを備えたアクチュエーターと、及びこれに関連づけられた、アクチュエーターを回転駆動させる手段とを有する下流の打撃モジュールの生産に非常に適している。このモジュールは、装備されているブリッジであることができる。磁気駆動には、小さな厚みのリングのみしか必要としないコンパクトな形態を実現できるという利点があり、このことによって、ゴングのために腕時計の内部でより大きなスペースを確保して、ユーザーに提供される音楽のスペクトルを豊かにすることができる。
【符号の説明】
【００７５】
１  ハンマー
３  磁化部分
４、４Ａ、４Ｂ  ゴング
５  弾性の戻し手段
８  アクチュエーター
１０  駆動機構
１１  打撃用バレル
１２  判断手段
１３  駆動車
１４  引き部品
２１  第１の領域
２２  第２の領域
８１  内側トラック
８２  外側トラック
１００  打撃機構
２００  腕時計
１３Ａ、１３Ｂ  駆動車
Ａ１  第１のリング
Ａ２  第２のリング
Ａ３  第３のリング
Ａ４  第４のリング
【図１】
2016200592.tif 000003
【図２】
2016200592.tif 000004
【図３】
2016200592.tif 000005
【図４】
2016200592.tif 000006
【図５】
2016200592.tif 000007
【図６】
2016200592.tif 000008
【図７】
2016200592.tif 000009
【図８】
2016200592.tif 000010
【図９】
2016200592.tif 000011
【図１０】
2016200592.tif 000012
【外国語明細書】
2016200592000001.pdf